(57)【要約】【課題】放送される音量を自動的に最適化させる。【解決手段】入力部１２０が生体情報の入力を受け付けた場合、入力を受け付けた生体情報と、記憶部１１０が記憶している生体情報とに基づいて、認証部１３０が操作者の認証を行い、認証に成功した場合、集音部１４０が外部から音声の入力を受け付け、受け付けた音声を電気信号である音声信号へ変換し、音声信号と、認証に成功した生体情報と対応付けて記憶部１１０が記憶している音量情報とを、送信部１５０が音声出力装置へ無線送信する。【選択図】図２
2011061284.tif 000002
【特許請求の範囲】
【請求項１】
操作者の生体情報と、出力する音声の音量を示す音量情報とをあらかじめ記憶する記憶部と、
前記生体情報の入力を受け付ける入力部と、
前記入力部が入力を受け付けた生体情報と、前記記憶部が記憶している生体情報とに基づいて、前記操作者の認証を行う認証部と、
前記認証部が前記操作者の認証に成功した場合、外部から音声の入力を受け付け、該受け付けた音声を電気信号である音声信号へ変換する集音部と、
前記音声信号と、前記記憶部にて該操作者の生体情報と対応付けられた音量情報とを、音声を出力する機能を具備する音声出力装置へ無線送信する送信部とを有する放送装置。
【請求項２】
請求項１に記載の放送装置において、
前記記憶部は、前記生体情報と、前記音量情報と、前記認証部が前記操作者の認証に成功してから前記集音部が外部から音声の入力の受け付けを終了するまでのマイク有効時間とをあらかじめ対応付けて記憶し、
前記集音部は、前記認証部が前記操作者の認証に成功してから、前記記憶部にて該操作者の生体情報と対応付けられているマイク有効時間が経過した際、外部から音声の入力の受け付けを終了することを特徴とする放送装置。
【請求項３】
請求項１に記載の放送装置において、
前記記憶部は、前記生体情報と、前記音量情報と、前記音声出力装置を識別するために該音声出力装置に付与された装置識別情報とをあらかじめ対応付けて記憶し、
前記送信部は、前記音声信号と前記音量情報とを、前記記憶部にて該音量情報と対応付けられている装置識別情報が付与された音声出力装置へ送信することを特徴とする放送装置。
【請求項４】
請求項１乃至３のいずれか１項に記載の放送装置において、
前記生体情報として指紋情報を用いることを特徴とする放送装置。
【請求項５】
請求項１乃至３のいずれか１項に記載の放送装置において、
前記生体情報として声紋情報を用いることを特徴とする放送装置。
【請求項６】
操作者の生体情報の入力を受け付ける処理と、
前記入力を受け付けた生体情報と、あらかじめ登録された生体情報とに基づいて、前記操作者の認証を行う処理と、
前記操作者の認証に成功した場合、外部から音声の入力を受け付ける処理と、
前記入力を受け付けた音声を電気信号である音声信号へ変換する処理と、
前記音声信号と、該操作者の生体情報とあらかじめ対応付けられて登録されている、出力する音声の音量を示す音量情報とを、音声を出力する機能を具備する音声出力装置へ無線送信する処理とを有する放送方法。
【請求項７】
請求項６に記載の放送方法において、
前記操作者の認証に成功してから、前記操作者の生体情報とあらかじめ対応付けられて登録されているマイク有効時間が経過した際、外部から音声の入力の受け付けを終了する処理を有することを特徴とする放送方法。
【請求項８】
請求項６に記載の放送方法において、
前記音声信号と前記音量情報とを、該音量情報とあらかじめ対応付けられて登録されている装置識別情報が付与された音声出力装置へ送信する処理を有することを特徴とする放送方法。
【請求項９】
請求項６乃至８のいずれか１項に記載の放送方法において、
前記生体情報として指紋情報を用いて前記認証を行う処理を有することを特徴とする放送方法。
【請求項１０】
請求項６乃至８のいずれか１項に記載の放送方法において、
前記生体情報として声紋情報を用いて前記認証を行う処理を有することを特徴とする放送方法。
【請求項１１】
操作者の生体情報の入力を受け付ける手順と、
前記入力を受け付けた生体情報と、あらかじめ登録された生体情報とに基づいて、前記操作者の認証を行う手順と、
前記操作者の認証に成功した場合、外部から音声の入力を受け付ける手順と、
前記入力を受け付けた音声を電気信号である音声信号へ変換する手順と、
前記音声信号と、該操作者の生体情報とあらかじめ対応付けられて登録されている、出力する音声の音量を示す音量情報とを、音声を出力する機能を具備する音声出力装置へ無線送信する手順とをコンピュータに実行させるためのプログラム。
【請求項１２】
請求項１１に記載のプログラムにおいて、
前記操作者の認証に成功してから、前記操作者の生体情報とあらかじめ対応付けられて登録されているマイク有効時間が経過した際、外部から音声の入力の受け付けを終了する手順を実行させるためのプログラム。
【請求項１３】
請求項１１に記載のプログラムにおいて、
前記音声信号と前記音量情報とを、該音量情報とあらかじめ対応付けられて登録されている装置識別情報が付与された音声出力装置へ送信する手順を実行させるためのプログラム。
【請求項１４】
請求項１１乃至１３のいずれか１項に記載のプログラムにおいて、
前記生体情報として指紋情報を用いて前記認証を行う手順を実行させるためのプログラム。
【請求項１５】
請求項１１乃至１３のいずれか１項に記載の放送方法において、
前記生体情報として声紋情報を用いて前記認証を行う手順を実行させるためのプログラム。
【発明の詳細な説明】
【技術分野】
【０００１】
本発明は、放送装置、放送方法およびプログラムに関し、特に防災同報無線放送を行う放送装置、放送方法およびプログラムに関する。
【背景技術】
【０００２】
防災同報無線による放送において、放送設備を利用して放送を行う者（以下、操作者と称する）を認証するために、放送設備に設けられた操作卓に入力されたパスワードを用いて行うものが一般的である。
【０００３】
しかしながら、防災同報無線による放送は使用頻度が低いため、操作者は当該パスワードを忘れてしまうことが多く、そのため、当該パスワードを公開している場合もある。パスワードが公開されてしまうと、本来は放送操作を許可されていない者であっても、公開されたパスワードを取得してしまえば、放送操作を行うことができてしまう。それにより、不適切な放送が行われてしまうおそれがある。
【０００４】
近年、装置を利用する者を認証するための認証方法として、指紋認証を用いて認証を行う装置が増えてきている（例えば、特許文献１参照。）。この指紋認証を防災同報無線による放送に適用すれば、パスワードを用いることなく、操作者の認証を行うことができ、不適切な放送が行われることを避けることができる。
【先行技術文献】
【特許文献】
【０００５】
【特許文献１】特開２００９−１６４６８０号公報
【発明の概要】
【発明が解決しようとする課題】
【０００６】
しかしながら、特許文献１のような技術を適用した場合であっても、操作人固有の音声の音量に応じて、放送される音量を最適化することができない。そのため、放送される音量が操作者によって互いに異なってしまい、その音量が適切な音量ではない場合、当該放送された内容が聞き取れなくなってしまうおそれがある。
【０００７】
本発明の目的は、上述した課題を解決する放送装置、放送方法およびプログラムを提供することである。
【課題を解決するための手段】
【０００８】
本発明の放送装置は、
操作者の生体情報と、出力する音声の音量を示す音量情報とをあらかじめ記憶する記憶部と、
前記生体情報の入力を受け付ける入力部と、
前記入力部が入力を受け付けた生体情報と、前記記憶部が記憶している生体情報とに基づいて、前記操作者の認証を行う認証部と、
前記認証部が前記操作者の認証に成功した場合、外部から音声の入力を受け付け、該受け付けた音声を電気信号である音声信号へ変換する集音部と、
前記音声信号と、前記記憶部にて該操作者の生体情報と対応付けられた音量情報とを、音声を出力する機能を具備する音声出力装置へ無線送信する送信部とを有する。
【０００９】
本発明の放送方法は、
操作者の生体情報の入力を受け付ける処理と、
前記入力を受け付けた生体情報と、あらかじめ登録された生体情報とに基づいて、前記操作者の認証を行う処理と、
前記操作者の認証に成功した場合、外部から音声の入力を受け付ける処理と、
前記入力を受け付けた音声を電気信号である音声信号へ変換する処理と、
前記音声信号と、該操作者の生体情報とあらかじめ対応付けられて登録されている、出力する音声の音量を示す音量情報とを、音声を出力する機能を具備する音声出力装置へ無線送信する処理とを有する。
【００１０】
本発明のプログラムは、
操作者の生体情報の入力を受け付ける手順と、
前記入力を受け付けた生体情報と、あらかじめ登録された生体情報とに基づいて、前記操作者の認証を行う手順と、
前記操作者の認証に成功した場合、外部から音声の入力を受け付ける手順と、
前記入力を受け付けた音声を電気信号である音声信号へ変換する手順と、
前記音声信号と、該操作者の生体情報とあらかじめ対応付けられて登録されている、出力する音声の音量を示す音量情報とを、音声を出力する機能を具備する音声出力装置へ無線送信する手順とをコンピュータに実行させる。
【発明の効果】
【００１１】
以上説明したように本発明においては、放送される音量を自動的に最適化させることができる。
【図面の簡単な説明】
【００１２】
【図１】本発明の放送装置が用いられる放送システムの実施の一形態を示す図である。
【図２】図１に示した放送装置の内部構成の一例を示す図である。
【図３】図２に示した記憶部に記憶された情報の第１の例を示す図である。
【図４】本形態における放送方法の第１の例を説明するためのフローチャートである。
【図５】図２に示した記憶部に記憶された情報の第２の例を示す図である。
【図６】本形態における放送方法の第２の例を説明するためのフローチャートである。
【図７】図２に示した記憶部に記憶された情報の第３の例を示す図である。
【図８】本形態における放送方法の第３の例を説明するためのフローチャートである。
【発明を実施するための形態】
【００１３】
以下に、本発明の実施の形態について図面を参照して説明する。
【００１４】
図１は、本発明の放送装置が用いられる放送システムの実施の一形態を示す図である。
【００１５】
本形態における放送システムは図１に示すように、放送装置１００と、音声出力装置２００−１〜２００−３とから構成されている。なお、本形態において、音声出力装置２００−１〜２００−３の数が「３」である場合を例に挙げているが、その数は規定しない。放送装置１００は、親局設備として、また音声出力装置２００−１〜２００−３は、子局設備として、放送システム（放送設備）を構成するものである。
【００１６】
放送装置１００は、放送装置１００を操作する操作者の生体情報と、音声出力装置２００−１〜２００−３が出力する音声の音量を示す音量情報とをあらかじめ記憶する。この生体情報は、指紋情報や声紋情報が例に挙げられる。また、放送装置１００は、操作者の生体情報の入力を受け付ける。また、放送装置１００は、入力を受け付けた生体情報と、記憶している生体情報とに基づいて、操作者の認証を行う。また、放送装置１００は、操作者の認証に成功した場合、外部から音声の入力を受け付け、受け付けた音声を電気信号である音声信号へ変換する。また、放送装置１００は、変換した音声信号と、当該操作者の生体情報と対応付けられた音量情報とを、音声出力装置２００−１〜２００−３へ無線送信する。
【００１７】
また、放送装置１００は、操作者の生体情報と、音量情報と、操作者の認証に成功してから外部から音声の入力の受け付けを終了するまでのマイク有効時間とをあらかじめ対応付けて記憶するものであっても良い。この場合、放送装置１００は、操作者の認証に成功してから、当該操作者の生体情報と対応付けて記憶しているマイク有効時間が経過した際、外部から音声の入力の受け付けを終了する。
【００１８】
また、放送装置１００は、操作者の生体情報と、音量情報と、音声出力装置２００−１〜２００−３を識別するために音声出力装置２００−１〜２００−３それぞれ固有に付与された装置識別情報とをあらかじめ対応付けて記憶するものであっても良い。この場合、放送装置１００は、音声信号と音量情報とを、当該音量情報と対応付けて記憶している装置識別情報が付与された音声出力装置へ送信する。
【００１９】
音声出力装置２００−１〜２００−３は、放送装置１００から送信されてきた音声信号に基づいて音声を出力する。また、このとき、音声出力装置２００−１〜２００−３は、放送装置１００から送信されてきた音量情報が示す音量で音声を出力する。また、音声出力装置２００−１〜２００−３は、音声出力装置２００−１〜２００−３を識別するための装置識別情報があらかじめそれぞれ付与されている。
【００２０】
図２は、図１に示した放送装置１００の内部構成の一例を示す図である。
【００２１】
図１に示した放送装置１００には図２に示すように、記憶部１１０と、入力部１２０と、認証部１３０と、集音部１４０と、送信部１５０とが設けられている。なお、図２には、放送装置１００が有する構成要素のうち、本発明に係わる構成要素のみを示した。また、記憶部１１０と、入力部１２０と、認証部１３０と、集音部１４０とは、一般的な放送設備の操作卓に設けられているものである。
【００２２】
記憶部１１０は、放送装置１００を操作する操作者の生体情報と、音声出力装置２００−１〜２００−３が出力する音声の音量を示す音量情報とをあらかじめ記憶する。
【００２３】
図３は、図２に示した記憶部１１０に記憶された情報の第１の例を示す図である。
【００２４】
図２に示した記憶部１１０には図３に示すように、生体情報と音量情報とが対応付けられて記憶されている。
【００２５】
例えば、生体情報「Ａ」と音量情報「レベル５」とが対応付けられて記憶されている。これは、生体情報「Ａ」である操作者の音声を出力する音量は「レベル５」であることを示す。また、生体情報「Ｂ」と音量情報「レベル３」とが対応付けられて記憶されている。これは、生体情報「Ｂ」である操作者の音声を出力する音量は「レベル３」であることを示す。また、生体情報「Ｃ」と音量情報「レベル４」とが対応付けられて記憶されている。これは、生体情報「Ｃ」である操作者の音声を出力する音量は「レベル４」であることを示す。なお、これらの情報は、操作者等によってあらかじめ登録されているものである。また、生体情報として「Ａ」、「Ｂ」および「Ｃ」として記載したが、これらの記載は説明の便宜上の記載であって、実際は生体情報そのものが記憶されている。
【００２６】
また、入力部１２０は、外部から操作者の生体情報の入力を受け付ける。また、入力部１２０は入力を受け付けた生体情報を認証部１３０へ出力する。なお、入力部１２０は、指紋情報や声紋情報が入力できる（読み取れる）形態となっている。
【００２７】
認証部１３０は、入力部１２０が入力を受け付けた生体情報と、記憶部１１０が記憶している生体情報とを比較し、その比較結果に基づいて、操作者の認証を行う。具体的には、入力部１２０が入力を受け付けた生体情報と同じ生体情報が、記憶部１１０に記憶されている場合、当該操作者の認証に成功したと判断する。また、入力部１２０が入力を受け付けた生体情報と同じ生体情報が、記憶部１１０に記憶されていない場合、当該操作者の認証に失敗したと判断する。また、認証部１３０は、操作者の認証に成功した場合、成功した旨を集音部１４０へ通知する。また、認証部１３０は、操作者の認証に成功した場合、当該操作者の生体情報と同じ生体情報と記憶部１１０にて対応付けられて記憶されている音量情報を読み出し、読み出した音量情報を送信部１５０へ出力する。
【００２８】
集音部１４０は、認証部１３０から操作者の認証に成功した旨が通知されると、外部から音声の入力を受け付け、受け付けた音声を電気信号である音声信号へ変換する。集音部１４０は、例えばマイクである。また、集音部１４０は、音声信号を送信部１５０へ出力する。また、集音部１４０は、認証部１３０から操作者の認証に成功した旨が通知されてから所定の時間だけ、外部から音声の入力を受け付け、受け付けた音声を電気信号である音声信号へ変換するものであっても良い。
【００２９】
送信部１５０は、認証部１３０から出力されてきた音量情報と、集音部１４０から出力されてきた音声信号とを、音声出力装置２００−１〜２００−３へ無線送信する。また、送信部１５０は、認証部１３０から出力されてきた音量情報と、集音部１４０から出力されてきた音声信号とを、音声出力装置２００−１〜２００−３のうち、所定の音声出力装置へ無線送信するものであっても良い。
【００３０】
以下に、本形態における放送方法について説明する。
【００３１】
図４は、本形態における放送方法の第１の例を説明するためのフローチャートである。
【００３２】
操作者による生体情報の入力が入力部１２０にて受け付けられると（ステップＳ１）、受け付けられた生体情報が入力部１２０から認証部１３０へ出力される。
【００３３】
すると、認証部１３０によって、記憶部１１０に記憶されている生体情報が読み出される。
【００３４】
そして、認証部１３０によって、記憶部１１０から読み出された生体情報と、入力部１２０から出力されてきた生体情報とが比較されることにより、当該操作者の認証が行われる（ステップＳ２）。具体的には上述したように、記憶部１１０から読み出された生体情報の中に、入力部１２０から出力されてきた生体情報と同じ生体情報が含まれている場合、当該操作者の認証に成功したと判断される。また、記憶部１１０から読み出された生体情報の中に、入力部１２０から出力されてきた生体情報と同じ生体情報が含まれていない場合、当該操作者の認証に失敗したと判断される。
【００３５】
当該操作者の認証に成功したと判断された場合、記憶部１１０にて入力部１２０から出力されてきた生体情報と同じ生体情報と対応付けられて記憶されている音量情報が、認証部１３０によって読み出される（ステップＳ３）。読み出された音量情報は、認証部１３０から送信部１５０へ出力される。
【００３６】
また、認証に成功した旨が認証部１３０から集音部１４０へ通知される。すると、認証に成功した旨が認証部１３０から通知された集音部１４０によって、外部から音声の入力が受け付けられ（ステップＳ４）、受け付けられた音声が電気信号である音声信号へ変換される（ステップＳ５）。また、変換された音声信号が、集音部１４０から送信部１５０へ出力される。
【００３７】
続いて、認証部１３０から出力されてきた音量情報と、集音部１４０から出力されてきた音声信号とが、送信部１５０から音声出力装置２００−１〜２００−３へ送信される（ステップＳ６）。
【００３８】
音声出力装置２００−１〜２００−３においては、放送装置１００から音声信号と音量情報とが送信されてくるため、当該音量情報が示す音量で、当該音声信号を音声として出力すれば、音声を入力した操作者に応じた音量で音声を出力することができる。
【００３９】
一方、ステップＳ２にて、認証部１３０にて認証に失敗したと判断されると、音量情報の読み出しも、集音部１４０における音声入力の受け付けも行われない。そのため、集音部１４０へ音声を入力しても、その音声が送信部１５０から送信されることはない。つまり、登録されていない操作者が集音部１４０へ音声を入力しようとしても、その音声が音声出力装置２００−１〜２００−３から出力されることはない。
【００４０】
また、記憶部１１０は、操作者の生体情報と、音量情報と、操作者の認証に成功してから集音部１４０が外部から音声の入力の受け付けを終了するまでのマイク有効時間とをあらかじめ対応付けて記憶するものであっても良い。この場合、集音部１４０は、操作者の認証に成功してから、当該操作者の生体情報と対応付けて記憶しているマイク有効時間が経過した際、外部から音声の入力の受け付けを終了する。
【００４１】
図５は、図２に示した記憶部１１０に記憶された情報の第２の例を示す図である。
【００４２】
図２に示した記憶部１１０には図５に示すように、生体情報と音量情報とマイク有効時間とが対応付けられて記憶されている。このマイク有効時間は、集音部１４０の動作が有効になっている時間、つまり、認証部１３０が操作者の認証に成功してその旨が集音部１４０へ通知されてから（集音部１４０が外部からの入力の受け付けを開始してから）、集音部１４０が外部からの入力の受け付けを終了するまでの時間である。
【００４３】
例えば、生体情報「Ａ」と音量情報「レベル５」とマイク有効時間「５分」とが対応付けられて記憶されている。これは、生体情報「Ａ」である操作者の音声を出力する音量は「レベル５」であり、そのとき集音部１４０が外部から音声の入力を受け付ける時間が「５分間」であることを示す。また、生体情報「Ｂ」と音量情報「レベル３」とマイク有効時間「１０分」とが対応付けられて記憶されている。これは、生体情報「Ｂ」である操作者の音声を出力する音量は「レベル３」であり、そのとき集音部１４０が外部から音声の入力を受け付ける時間が「１０分間」であることを示す。また、生体情報「Ｃ」と音量情報「レベル４」とマイク有効時間「３分」とが対応付けられて記憶されている。これは、生体情報「Ｃ」である操作者の音声を出力する音量は「レベル４」であり、そのとき集音部１４０が外部から音声の入力を受け付ける時間が「３分間」であることを示す。なお、これらの情報は、操作者等によってあらかじめ登録されているものである。また、生体情報として「Ａ」、「Ｂ」および「Ｃ」として記載したが、これらの記載は説明の便宜上の記載であって、実際は生体情報そのものが記憶されている。
【００４４】
このときの本形態における放送方法について説明する。
【００４５】
図６は、本形態における放送方法の第２の例を説明するためのフローチャートである。
【００４６】
操作者による生体情報の入力が入力部１２０にて受け付けられると（ステップＳ１１）、受け付けられた生体情報が入力部１２０から認証部１３０へ出力される。
【００４７】
すると、認証部１３０によって、記憶部１１０に記憶されている生体情報が読み出される。
【００４８】
そして、認証部１３０によって、記憶部１１０から読み出された生体情報と、入力部１２０から出力されてきた生体情報とが比較されることにより、当該操作者の認証が行われる（ステップＳ１２）。具体的には上述したように、記憶部１１０から読み出された生体情報の中に、入力部１２０から出力されてきた生体情報と同じ生体情報が含まれている場合、当該操作者の認証に成功したと判断される。また、記憶部１１０から読み出された生体情報の中に、入力部１２０から出力されてきた生体情報と同じ生体情報が含まれていない場合、当該操作者の認証に失敗したと判断される。
【００４９】
当該操作者の認証に成功したと判断された場合、記憶部１１０にて入力部１２０から出力されてきた生体情報と同じ生体情報と対応付けられて記憶されている音量情報とマイク有効時間とが、認証部１３０によって読み出される（ステップＳ１３）。読み出された音量情報は、認証部１３０から送信部１５０へ出力される。
【００５０】
また、読み出されたマイク有効時間は、認証部１３０から集音部１４０へ出力される。
【００５１】
すると、集音部１４０に設けられているタイマが起動し、タイマ値が認証部１３０から出力されてきたマイク有効時間を経過したかどうかが監視される（ステップＳ１４）。
【００５２】
タイマ値が認証部１３０から出力されてきたマイク有効時間を超えていない場合、集音部１４０によって、外部から音声の入力が受け付けられ（ステップＳ１５）、受け付けられた音声が電気信号である音声信号へ変換される（ステップＳ１６）。また、変換された音声信号が、集音部１４０から送信部１５０へ出力される。
【００５３】
続いて、認証部１３０から出力されてきた音量情報と、集音部１４０から出力されてきた音声信号とが、送信部１５０から音声出力装置２００−１〜２００−３へ送信される（ステップＳ１７）。
【００５４】
音声出力装置２００−１〜２００−３においては、放送装置１００から音声信号と音量情報とが送信されてくるため、当該音量情報が示す音量で、当該音声信号を音声として出力すれば、音声を入力した操作者に応じた音量で音声を出力することができる。
【００５５】
一方、ステップＳ１２にて、認証部１３０にて認証に失敗したと判断されると、音量情報の読み出しも、集音部１４０における音声入力の受け付けも行われない。また、ステップＳ１４にて、タイマ値が認証部１３０から出力されてきたマイク有効時間を超えた場合も、集音部１４０における音声入力の受け付けが行われない。そのため、これらの場合、集音部１４０へ音声を入力しても、その音声が送信部１５０から送信されることはない。つまり、登録されていない操作者が集音部１４０へ音声を入力しようとした場合や、登録されているマイク有効時間を超えた時間に集音部１４０へ音声を入力しようとした場合、その音声が音声出力装置２００−１〜２００−３から出力されることはない。
【００５６】
このように、あらかじめ登録されている操作者に応じたマイク有効時間に集音部１４０に入力された音声が、送信部１５０から音声出力装置２００−１〜２００−３へ送信されることにより、操作者に応じた時間だけ、音声が音声出力装置２００−１〜２００−３から出力される。
【００５７】
また、記憶部１１０は、操作者の生体情報と、音量情報と、音声出力装置２００−１〜２００−３を識別するために音声出力装置２００−１〜２００−３それぞれ固有に付与された装置識別情報とをあらかじめ対応付けて記憶するものであっても良い。この場合、送信部１５０は、音声信号と音量情報とを、当該音量情報と対応付けて記憶している装置識別情報が付与された音声出力装置へ送信する。
【００５８】
図７は、図２に示した記憶部１１０に記憶された情報の第３の例を示す図である。
【００５９】
図２に示した記憶部１１０には図７に示すように、生体情報と音量情報と装置識別情報とが対応付けられて記憶されている。装置識別情報とは、音声出力装置２００−１〜２００−３を識別するために、音声出力装置２００−１〜２００−３それぞれ固有に付与された識別情報である。
【００６０】
例えば、生体情報「Ａ」と音量情報「レベル５」と装置識別情報「２００−１〜２００−３」とが対応付けられて記憶されている。これは、生体情報「Ａ」である操作者の音声を出力する音量は「レベル５」であり、それらを送信する送信先の音声出力装置は「２００−１〜２００−３」であることを示す。また、生体情報「Ｂ」と音量情報「レベル３」と装置識別情報「２００−１，２００−３」とが対応付けられて記憶されている。これは、生体情報「Ｂ」である操作者の音声を出力する音量は「レベル３」であり、それらを送信する送信先の音声出力装置は「２００−１，２００−３」であることを示す。また、生体情報「Ｃ」と音量情報「レベル４」と装置識別情報「２００−２」とが対応付けられて記憶されている。これは、生体情報「Ｃ」である操作者の音声を出力する音量は「レベル４」であり、それらを送信する送信先の音声出力装置は「２００−２」であることを示す。なお、これらの情報は、操作者等によってあらかじめ登録されているものである。また、生体情報として「Ａ」、「Ｂ」および「Ｃ」として記載したが、これらの記載は説明の便宜上の記載であって、実際は生体情報そのものが記憶されている。
【００６１】
このときの本形態における放送方法について説明する。
【００６２】
図８は、本形態における放送方法の第３の例を説明するためのフローチャートである。
【００６３】
操作者による生体情報の入力が入力部１２０にて受け付けられると（ステップＳ２１）、受け付けられた生体情報が入力部１２０から認証部１３０へ出力される。
【００６４】
すると、認証部１３０によって、記憶部１１０に記憶されている生体情報が読み出される。
【００６５】
そして、認証部１３０によって、記憶部１１０から読み出された生体情報と、入力部１２０から出力されてきた生体情報とが比較されることにより、当該操作者の認証が行われる（ステップＳ２２）。具体的には上述したように、記憶部１１０から読み出された生体情報の中に、入力部１２０から出力されてきた生体情報と同じ生体情報が含まれている場合、当該操作者の認証に成功したと判断される。また、記憶部１１０から読み出された生体情報の中に、入力部１２０から出力されてきた生体情報と同じ生体情報が含まれていない場合、当該操作者の認証に失敗したと判断される。
【００６６】
当該操作者の認証に成功したと判断された場合、記憶部１１０にて入力部１２０から出力されてきた生体情報と同じ生体情報と対応付けられて記憶されている音量情報と装置識別情報とが、認証部１３０によって読み出される（ステップＳ２３）。読み出された音量情報と装置識別情報とは、認証部１３０から送信部１５０へ出力される。
【００６７】
また、認証に成功した旨が認証部１３０から集音部１４０へ通知される。すると、認証に成功した旨が認証部１３０から通知された集音部１４０によって、外部から音声の入力が受け付けられ（ステップＳ２４）、受け付けられた音声が電気信号である音声信号へ変換される（ステップＳ２５）。また、変換された音声信号が、集音部１４０から送信部１５０へ出力される。
【００６８】
続いて、認証部１３０から出力されてきた音量情報と、集音部１４０から出力されてきた音声信号とが、送信部１５０から音声出力装置２００−１〜２００−３のうち、認証部１３０から出力されてきた装置識別情報が付与された音声出力装置へ送信される（ステップＳ２６）。
【００６９】
音声出力装置においては、放送装置１００から音声信号と音量情報とが送信されてくるため、当該音量情報が示す音量で、当該音声信号を音声として出力すれば、音声を入力した操作者に応じた音量で音声を出力することができる。
【００７０】
一方、ステップＳ２２にて、認証部１３０にて認証に失敗したと判断されると、音量情報の読み出しも、集音部１４０における音声入力の受け付けも行われない。そのため、集音部１４０へ音声を入力しても、その音声が送信部１５０から送信されることはない。つまり、登録されていない操作者が集音部１４０へ音声を入力しようとしても、その音声が音声出力装置２００−１〜２００−３から出力されることはない。
【００７１】
このように、入力を受け付けた音声が、あらかじめ登録されている操作者に応じた音声出力装置へ送信されることにより、操作者に応じた音声出力装置のみから音声が出力される。
【００７２】
以上説明したように、操作卓の指紋認証や声紋認証等の生体認証による操作ガード解除に連動して、任意の操作人に応じた放送許可範囲の自動設定をする。それにより、放送呼出地区の限定、強制切断機能を有した緊急放送の限定、操作時間の限定をすることができ、任意の操作人の権限を越えた不適切な放送を予防できる。また、任意の操作人に応じたマイクプリセットを自動設定することにより、放送音量の最適化を自動化することができる。
【００７３】
なお、上述した放送装置１００に設けられた各構成要素が行う処理は、目的に応じて作製された論理回路で行うようにしても良い。また、処理内容を記述したプログラムを放送装置１００にて読取可能な記録媒体に記録し、この記録媒体に記録されたプログラムを放送装置１００に読み込ませ、実行するものであっても良い。放送装置１００にて読取可能な記録媒体とは、フロッピー（登録商標）ディスク、光磁気ディスク、ＤＶＤ、ＣＤなどの移設可能な記録媒体の他、放送装置１００内に内蔵されたＲＯＭ、ＲＡＭ等のメモリやＨＤＤ等を指す。この記録媒体に記録されたプログラムは、放送装置１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００７４】
１００    放送装置
１１０    記憶部
１２０    入力部
１３０    認証部
１４０    集音部
１５０    送信部
２００−１〜２００−３    音声出力装置
【図１】
2011061284.tif 000003
【図２】
2011061284.tif 000004
【図３】
2011061284.tif 000005
【図４】
2011061284.tif 000006
【図５】
2011061284.tif 000007
【図６】
2011061284.tif 000008
【図７】
2011061284.tif 000009
【図８】
2011061284.tif 000010